(57)【要約】      （修正有）【課題】ボンネットがアルミニウム製であっても、運転者標識の規制範囲に取り付けが可能で、車体表面にキズ発生の懸念が生じない運転者標識取付器を提供する。【解決手段】運転者標識を表面側に取り付けられる形状及び大きさを有し、ボルト挿通用孔を穿設した磁性体からなる薄板状の運転者標識取付板２と、運転者標識取付板２の裏面側に接着した柱状の弾性体３と、運転者標識取付板２を車体に固定させるための、運転者標識取付板２の穿設された孔に挿通するボルト５、座金板４及びナット６からなる締結手段とを備える。【選択図】図４
0003195457.tif 000002
【実用新案登録請求の範囲】
【請求項１】
運転者標識を表面側に取り付けられる形状及び大きさを有し、ボルト挿通用孔を穿設した磁性体からなる薄板状の運転者標識取付板と、
前記運転者標識取付板の裏面側に接着した柱状の弾性体と、
前記運転者標識取付板を車体に固定させるための、前記運転者標識取付板の穿設された孔に挿通するボルト、座金板及びナットからなる締結手段と、
を備えることを特徴とする運転者標識取付器。
【考案の詳細な説明】
【技術分野】
【０００１】
本考案は、高齢運転者標識、初心者運転者標識、身体障害者標識、聴覚障害者標識等のマグネット式の運転者情報の車両の外面への取り付けを容易にする運転者標識取付器に関する。
【背景技術】
【０００２】
上記運転者標識は、運転免許試験場、カー用品店、ホームセンターなどで販売されているが、ほとんどがマグネット式の運転者標識である。これらの運転者標識は一般的に自動車の外板であるボンネットなどの薄板鋼板部分に取り付けられている。
【０００３】
他の運転者標識の取付方法としては、例えば、特許文献１には、車体の表面に着脱自在な運転者標識の背面に前記車体への取付部を設け、この取付部はマジックテープ（登録商標）を包有してなり、前記運転者標識の背面に設けられた第１のマジックテープと、この第１のマジックテープと対向面が脱着自在な第２のマジックテープと、この第２のマジックテープの他の面に設けられた取付面への粘着部とを備える運転者標識の取付方法が開示されている。
【先行技術文献】
【特許文献】
【０００４】
【特許文献１】実用新案登録第３１４２４１１号公報
【考案の概要】
【考案が解決しようとする課題】
【０００５】
しかし、薄板鋼板からなるボンネットにマグネット式運転者標識を磁力で止着させることは、洗車時やワックス時に取り外し、洗車やワックス完了後に再取付しなければならないという煩しいという問題があった。
【０００６】
また、自動車のボンネットの光沢に関心度が高い運転者にとって、ボンネットにマグネット式運転者標識を磁力で止着させることはボンネットの表面にキズがつくということで嫌がるという問題があった。
【０００７】
さらに、マグネット式運転者標識は、車両軽量化で増加しつつあるアルミニウムから造られるボンネットの車両には磁力での止着が困難になるという問題が生じ、バンパーもプラスチック製であるから磁力での止着が困難になるという問題があった。
【０００８】
特許文献１の考案は、特許文献１の段落[００２１]や図６に記載されているようにバンパーへの取付を意図しており、一般的に大衆車クラスであればバンパーの高さが０．４ｍ以下になるため、運転者標識の取り付け高さである０．４ｍ〜２．１ｍの規制に違反する懸念があった。
【０００９】
また、車体表面へ貼り付ける手段である粘着部は、特許文献１の段落[００１３]に「剥がした場合に、のりが残らないもの」と記載されているが、直接に車体表面に接着剤で貼り付けることによって車体表面にキズがつくという懸念があった。
【００１０】
本考案はこうした問題に鑑み創案されたもので、ボンネットがアルミニウム製であっても、運転者標識の規制範囲に取り付けが可能で、車体表面にキズ発生の懸念が生じない運転者標識取付器を提供することを課題とする。
【課題を解決するための手段】
【００１１】
請求項１に記載の運転者標識取付器１の考案は、運転者標識１０を表面側に取り付けられる形状及び大きさを有し、ボルト挿通用孔９を穿設した磁性体からなる薄板状の運転者標識取付板２と、前記運転者標識取付板２の裏面側に接着した柱状の弾性体３と、前記運転者標識取付板２を車体に固定させるための、前記運転者標識取付板２の穿設された孔９に挿通するボルト５、座金板４及びナット６からなる締結手段と、を備えることを特徴とする。
【考案の効果】
【００１２】
請求項１に記載の運転者標識取付器１の考案は、例えばラジエーターグリル１１の部位に取付可能であるので、運転者標識１０の取り付け高さである０．４ｍ〜２．１ｍの規制を満足できるし、ボンネットなどの車体の材料がアルミニウム製になっても運転者標識１０を取り付け可能であるし、運転者標識１０の車体への取付部位がボンネットなどの車体の外板面ではないのでキズの発生がないし、洗車してワックスがけをするときに取り外す必要がないという効果を奏する。
【図面の簡単な説明】
【００１３】
【図１】本考案の高齢運転者標識の場合の運転者標識取付器の概要側面図である。
【図２】本考案の高齢運転者標識の場合の運転者標識取付器の概要正面図である。
【図３】本考案の高齢運転者標識の場合の運転者標識取付器の概要背面図である。
【図４】図３におけるＡ−Ａ断面図である。
【図５】高齢運転者標識の概要図である。
【図６】自動車のラジエーターグリルに運転者標識取付器を取り付けたときの、図３におけるＡ−Ａ断面と同じ断面の位置における断面図である。
【図７】自動車のラジエーターグリルに運転者標識取付器を取り付けた斜視図である。
【図８】運転者標識取付器の運転者標識取付板に複数のボルト挿通用孔を設けた概要図である。
【考案を実施するための形態】
【００１４】
本考案である運転者標識取付器１は、図１乃至図４に示すように、運転者標識１０を表面側に取り付けられる形状及び大きさを有し、ボルト挿通用孔９を穿設した磁性体からなる薄板状の運転者標識取付板２と、前記運転者標識取付板２の裏面側に接着した柱状の弾性体３と、前記運転者標識取付板２を車体に固定させるための、前記運転者標識取付板２の穿設された孔９に挿通するボルト５、座金板４及びナット６からなる締結手段と、を備える。
【００１５】
運転者標識取付板２の形状や大きさは、図５に示す高齢運転者標識、初心者運転者標識、身体障害者標識、聴覚障害者標識それぞれの形状や大きさに合わせることもでき、複数の運転者標識１０が取付可能な形状や大きさにする。そして、薄板状で、材質はマグネット式の運転者標識１０が磁力で取り付けることが可能な磁性体であればよく、例えば鉄がある。鉄のように錆発生が懸念される場合には防錆処理をするのがよい。
【００１６】
また、運転者標識取付板２には、図８に示すように複数の孔９を穿孔しておく。これにより、車種が異なりラジエーターグリルの形状が異なっても、そのラジエーターグリルの形状に合わせて適する孔９を選択して運転者標識取付器１を取り付けることができる。また、運転者標識取付器１の軽量化も図ることができる。
【００１７】
弾性体３は、運転者標識取付板２の裏面側に複数接着されており、材質は、ウレタンフォーム、発泡樹脂成形体、発泡ゴム等の繰り返し振動に対して減衰性を有する材料であればよい。また、形状は四角柱状、円柱状、多角形柱状などの柱状体であり、運転者標識取付器１の取付後のバランスをとるために図３に示すように複数設けるのがよい。弾性体３によって、自動車走行に発生する振動に対しても運転者標識取付器１の取付状態を緩まないようにすることができし、運転者標識取付器１の取付によって車体にキズを生じさせないようにすることができる。弾性体３の向きは、例えば車体側の取付部位がラジエーターグリル１１のように細長い形態の場合にはラジエーターグリル１１の長手方向の向きと垂直方向に設けるのがよい。
【００１８】
締結手段は、挿通するボルト５、座金板４及びナット６からなる。ボルト５の頭部の形状は図４に示すように皿螺子タイプが適しており、運転者標識取付板２の孔９に皿螺子の斜面に対応する形状を形成することによって、図４又は図６に示すように、ボルト５の頭部の位置が運転者標識取付板２の表面位置と略一致し、運転者標識取付板２の表面からボルト５の頭部を突出させないようにすることができる。よって、図２に示す運転者標識取付板２の表面にはボルト５の頭部が見えるがボルト５が突出しておらず凹凸がない。
【００１９】
また、座金板４を図３、図４又は図６に示すように設けることにより、例えば車体側の取付部位となるラジエーターグリル１１を弾性体３と座金板４によって前後方向からしっかりと挟圧させてラジエーターグリル１１に固定させることができる。また、座金板４の向きは、例えば車体側の取付部位がラジエーターグリル１１のように細長い形態の場合にはラジエーターグリル１１の長手方向の向きと垂直方向に設けるのがよい。座金板４についても防錆処理をしておく。
【００２０】
次に、運転者標識取付器１の取付について説明する。運転者標識の取り付け高さである０．４ｍ〜２．１ｍの規制を満足する部位として、図７に示すように自動車のラジエーターグリル１１を選択する。ラジエーターグリル１１であれば軽自動車や大衆車も前記規制を満足させる高さを確保できる。
【００２１】
次に、座金板４及びナット６を外した運転者標識取付器１を、ラジエーターグリル１１の前側からラジエーターグリル１１の各段の間に挿入させる。そして、ボルト５を後方から座金板４の孔に挿入するように取り付けて、ナット６をボルト５に締結する。
【００２２】
次に、運転者標識取付器１の表面である前側に、図５に示す高齢運転者標識、初心者運転者標識、身体障害者標識又は聴覚障害者標識のマグネット式運転者標識を磁力で止着する。
【符号の説明】
【００２３】
１      運転者標識取付器
２      運転者標識取付板
３      弾性体
４      座金板
５      ボルト
６      ナット
９      孔
１０    マグネット式運転者標識
１１    ラジエーターグリル
【図１】
0003195457.tif 000003
【図２】
0003195457.tif 000004
【図３】
0003195457.tif 000005
【図４】
0003195457.tif 000006
【図５】
0003195457.tif 000007
【図６】
0003195457.tif 000008
【図７】
0003195457.tif 000009
【図８】
0003195457.tif 000010